(57)【要約】      （修正有）【課題】神社や寺院に参拝した参拝者が賽銭を喜捨することに喜びを覚え、また賽銭を受納する神社や寺院側の参拝者に対する感謝の念を伝えることができるような機能をも併せもつ賽銭箱を提供すること。【解決手段】箱体１の上面に賽銭投入口２、前記箱体１内で前記賽銭投入口２の下方位置に賽銭受部材３をそれぞれ設け、さらに前記賽銭投入口２と賽銭受部材３の中間位置に硬貨との衝突により金属打音を発する鈴（リン）４Ａ，４Ｂ・・、４ａ，４ｂ・・を設ける。この賽銭箱に、賽銭投入口２から賽銭（硬貨）を投入すると、硬貨と鈴（リン）４Ａ，４Ｂ・・、４ａ，４ｂ・・との衝突により金属打音（たとえばチリンという金属性のリンの音）が発生し、賽銭を喜捨した参拝者の心に神仏とともにあるという安らぎ感を与え、あるいは一種の宗教的満足感等を与えることができる。【選択図】図５
0003119507.tif 000002
【実用新案登録請求の範囲】
【請求項１】
箱体（１）の上面に賽銭投入口（２）、前記箱体（１）内で前記賽銭投入口（２）の下方位置に賽銭受部材（３）をそれぞれ設け、さらに前記賽銭投入口（２）と賽銭受部材（３）の中間位置に硬貨との衝突により金属打音を発生する鈴（４Ａ，４Ｂ・・、４ａ，４ｂ・・）を設けたことを特徴とする賽銭箱。
【請求項２】
複数の鈴（４Ａ，４Ｂ・・、４ａ，４ｂ・・）が上下２段以上に配置され、しかも上段側の隣り合う一対の鈴（４Ａ，４Ｂ・・）の間に下段側の鈴（４ａ，４ｂ・・）が位置決めされていることを特徴とする請求項１記載の賽銭箱。
【請求項３】
賽銭箱（１０）部分に隣接しておみくじ箱（２０）が設けられていることを特徴とする請求項１又は２に記載の賽銭箱。
【考案の詳細な説明】
【技術分野】
【０００１】
本願考案は神社や寺院等に設置される賽銭箱に関するものである。
【背景技術】
【０００２】
図６は神社や寺院に設置されている従来形式の賽銭箱を示している。この従来形式の賽銭箱は、箱体１０１の上部に賽銭投入口１０２を設け、該賽銭投入口１０２から投入された賽銭（その多くは硬貨）３０を箱体内底部の賽銭受部材１０３で受けるという単純構造のものであり、賽銭（硬貨）を喜捨しても、賽銭３０と箱体底板との衝突音（木質音）がするだけで、あまり信仰心に響くところがなかった。
【考案の開示】
【考案が解決しようとする課題】
【０００３】
本願考案は、神社や寺院に参拝した参拝者が賽銭を喜捨することに喜びを覚え、また賽銭を受納する神社や寺院側の参拝者に対する感謝の念を伝えることができるような機能をも併せもつ賽銭箱を提供することを目的としてなされたものである。
【課題を解決するための手段】
【０００４】
本願考案は、上記の目的を達成しようとしてなされたもので、図２，図３に例示するように、箱体１の上面に賽銭投入口２、前記箱体１内で前記賽銭投入口２の下方位置に賽銭受部材３をそれぞれ設け、さらに前記賽銭投入口２と賽銭受部材３の中間位置に硬貨との衝突により金属打音を発する鈴（リン）４Ａ，４Ｂ・・、４ａ，４ｂ・・を設けたことを基本構成とする。
【０００５】
上記のように構成された本願考案の賽銭箱に、賽銭投入口２から賽銭（硬貨）を投入すると、硬貨と鈴（リン）４Ａ，４Ｂ・・、４ａ，４ｂ・・との衝突により金属打音（たとえばチリンという金属性のリンの音）が発生し、賽銭を喜捨した参拝者の心に神仏とともにあるという安らぎ感を与え、あるいは一種の宗教的満足感等を与えることができる。
【０００６】
その場合、複数の鈴（リン）４Ａ，４Ｂ・・、４ａ，４ｂ・・が上下２段以上に配置され、しかも上段側の隣り合う一対の鈴４Ａ，４Ｂ・・の間に下段側の鈴４ａ，４ｂ・・が位置決めされている構成とすると、喜捨された賽銭（硬貨）が２個以上の鈴４Ａ，４Ｂ・・、４ａ，４ｂ・・と衝突して連続した金属打音を発生し、一層上記の安らぎ感、満足感等を味わうことができる。また、その際、上段側の一対の鈴４Ａ，４Ｂ・・間の隙間ＳＡ，ＳＢ・・の間隔より大きい横幅（または直径）をもつ鈴４ａ，４ｂ・・を前記上段側の鈴間隙間ＳＡ，ＳＢ・・の直下に位置決めすれば、賽銭投入口２から投入された硬貨はほぼ確実にいづれかの鈴と複数回衝突してリンの音を発することができる。
【０００７】
本願考案の賽銭箱１０は、図４，図５に例示するように、おみくじ箱２０と一体化して構成することもできる。その場合は、賽銭箱１０部分はおみくじ代金の収受箱を兼用することができる。
【考案の効果】
【０００８】
本願考案の賽銭箱は、上記のように、賽銭（硬貨）を投入したときに、さわやかな金属打音（リンの音）が聞こえ、神社や寺院に参拝した参拝者に対して賽銭を喜捨する喜びを自覚させる効果がある。また、そのリンの音は、神社や寺院側から参拝者に対する報謝の念としても伝え聞くことができるものである。
【考案を実施するための最良の形態】
【０００９】
続いて図示の実施例についてさらに詳細に説明すると、図１〜図３に示す第１実施例のものは、賽銭投入口２に２枚の斜板５Ａ，５Ｂが相対向するように斜め下向きに設けられていて賽銭投入口２に投入された賽銭（硬貨）が確実に鈴（リン）４Ａ，４Ｂ・・、４ａ，４ｂ・・の上方に誘導されるようになっている。
【００１０】
この実施例で使用されている鈴（リン）４Ａ，４Ｂ・・、４ａ，４ｂ・・は、半球椀状のもので、それぞれ棒状の取付具７Ａ，７Ｂ・・、７ａ，７ｂ・・によって取付台６に支持されている。各鈴（リン）４Ａ，４Ｂ・・、４ａ，４ｂ・・の対向側には、賽銭投入口２から落下してくる硬貨を鈴（リン）４Ａ，４Ｂ・・、４ａ，４ｂ・・側へ向けて撥ね返す作用をする硬貨受部材８が設けられている。この実施例における賽銭受部材３は長方形箱状の抽出し構造となっており、指穴３Ａに指を入れて引き出すことができるようになっている。なお、図１において、符号１１，１２は箱体１の隅角部に取付けたかざり金具である。
【００１１】
次に、図４〜図５に示す第２実施例について説明すると、この実施例の賽銭箱１０は、おみくじ箱２０と一体構造となっている。おみくじ箱部分２０の上板２１には手指挿入口２１Ａが形成されていて、おみくじ購入者はこの手指挿入口２１Ａから手指を挿入しておみくじ９を取り出すことができる。この実施例の場合は、賽銭箱部分１０がおみくじ代金受箱を兼用する。なお、この第２実施例における賽銭箱部分の構造は、第１実施例（図１〜図３）のものと同一であるのでその説明を省略する。
【図面の簡単な説明】
【００１２】
【図１】本願考案の実施例にかかる賽銭箱の斜視図である。
【図２】図１に示す賽銭箱のＩＩ−ＩＩ断面図である。
【図３】図２に示す賽銭箱のＩＩＩ−ＩＩＩ断面図である。
【図４】本願考案の他の実施例にかかる賽銭箱（おみくじ箱つき）の斜視図である。
【図５】図４に示す賽銭箱（おみくじ箱つき）のＶ−Ｖ断面図である。
【図６】従来の賽銭箱の斜視図である。
【図７】図６に示す賽銭箱のＶＩＩ−ＶＩＩ断面図である。
【符号の説明】
【００１３】
１は箱体、２は賽銭投入口、３は賽銭受部材、４Ａ，４Ｂ・・、４ａ，４ｂは鈴（リン）、６は支持台、７Ａ，７Ｂ・・、７ａ，７ｂ・・は取付具、８は硬貨受部材、１０は賽銭箱、２０はおみくじ箱である。
【図１】
0003119507.tif 000003
【図２】
0003119507.tif 000004
【図３】
0003119507.tif 000005
【図４】
0003119507.tif 000006
【図５】
0003119507.tif 000007
【図６】
0003119507.tif 000008
【図７】
0003119507.tif 000009